(57)【特許請求の範囲】
【請求項１】
原稿台と、
副走査方向に往復移動可能なキャリッジを有し、当該キャリッジ上に設けられて、前記原稿台に載置された原稿に照射した読取光の反射光を受光して当該原稿の画像を読み取る読取部と、
本画像読取装置による通常動作モードでの通常動作時における前記キャリッジの待機位置であるホームポジションに前記キャリッジが位置するか否かを検出し、前記キャリッジが当該ホームポジションに位置しているときに、前記キャリッジを検出したことを示す検出信号を出力し、前記キャリッジが当該ホームポジションに位置していないときに、前記キャリッジを検出していないことを示す不検出信号を出力するキャリッジ検出部と、
前記キャリッジの移動動作を制御する制御部と、を備え、
前記制御部は、本画像読取装置を電源オフモードに移行させるときには、前記キャリッジを、前記ホームポジションと、前記原稿台に載置された前記原稿についての原稿サイズの読取位置との間に設定された電源オフモード移行時の待機位置に移動させ、本画像読取装置をスリープモードに移行させるときには、前記キャリッジを、前記ホームポジションと、前記電源オフモード移行時の待機位置との間に設定された、当該電源オフモード移行時の待機位置よりも前記ホームポジションに近いスリープモード移行時の待機位置に移動させ、
前記制御部は、前記スリープモード及び前記電源オフモードから前記通常動作モードへの復帰時に前記制御部が前記キャリッジを前記ホームポジションに移動させるとき、前記制御部が前記キャリッジを前記待機位置から移動を開始させた時点から、前記キャリッジ検出部が前記キャリッジを検出して前記検出信号を出力するまでの移動距離を計測し、
前記制御部は、前記スリープモード移行時の待機位置から前記ホームポジションまでの移動に要する予め定められた第１移動距離と、前記電源オフモード移行時の待機位置から前記ホームポジションまでの移動に要する予め定められた第２移動距離とを、記憶領域に予め記憶しており、
前記制御部は、前記計測した移動距離が前記第１移動距離に一致すると判定した場合には、前記通常動作モードへの復帰が前記スリープモードからの復帰であると判定し、前記スリープモードから復帰時のイニシャライズ処理を実行し、前記計測した移動距離が前記第２移動距離に一致すると判定した場合には、前記通常動作モードへの復帰が前記電源オフモードからの復帰であると判定し、前記電源オフモードから復帰時のイニシャライズ処理を実行し、
前記制御部は、前記計測した移動距離が前記第１移動距離及び前記第２移動距離のいずれにも該当しないと判定した場合には、前記電源オフモードから復帰時のイニシャライズ処理を実行する画像読取装置。
【請求項２】
請求項１に記載の画像読取装置と、
前記読取部で読み取った画像を記録紙上に画像形成する画像形成部と、を備える画像形成装置。
【発明の詳細な説明】
【技術分野】
【０００１】
本発明は、画像読取装置及び画像形成装置に関し、特に、通常動作開始時に行われるイニシャライズ処理の時間を短縮する技術に関する。
【背景技術】
【０００２】
画像形成装置においては、省電力のために装置をスリープモード及び電源オフモードに移行させた状態で、操作者からの指示の入力を待機するものがある。そして、スリープモード及び電源オフモードから、画像形成装置を通常動作が可能な通常動作モードに復帰させたときには、当該通常動作を可能にするためのエージング処理等からなるイニシャライズ処理を行う。下記特許文献１には、スリープモード及び省エネモードへの移行時に、キャリッジを白基準取得位置へ移動させておき、スリープモード及び省エネモードから通常動作モードへの復帰時には、キャリッジが白基準取得位置にあるとして白基準取得動作を行うことで、イニシャライズ処理実行時に必要となるキャリッジ移動距離を削減し、これによりイニシャル時間を短縮する。
【先行技術文献】
【特許文献】
【０００３】
【特許文献１】特開２００７−１４２７５９号公報
【発明の概要】
【発明が解決しようとする課題】
【０００４】
画像形成装置では、スリープモード又は電源オフモードのいずれから復帰したかによって、通常動作モードへの復帰後に行うべき処理が異なるため、上記特許文献１に示される画像形成装置においても、いずれのモードからの復帰かを判別する必要がある。この判別は、（１）復帰前のモードを示す情報を他の装置との通信により取得する、或いは、（２）スリープモード又は電源オフモードへの移行時に当該モードを、復帰前のモードとして、メモリーに記憶しておくこと、等により行われている。しかしながら、（１）の場合は通信による情報取得に時間を要し、（２）の場合はスリープモード等への移行後に装置の電源が落とされたときには、上記メモリーに記憶されていた情報が消去されて上記判別が不可能になる。また、上記特許文献２に示される技術では、スリープモードへの移行後に、キャリッジが振動により、ＨＰセンサーがキャリッジを検出する位置に移動してしまうと、予定している動作ができなくなるために、エラーとなる。
【０００５】
本発明は、上述した事情に鑑みてなされたものであり、特別な機構を追加することなく、通常動作モードへの復帰時に、スリープモード又は電源オフモードのいずれから復帰したかを判別可能とし、当該復帰時に行うイニシャライズ処理に要する時間を短縮することを目的とする。
【課題を解決するための手段】
【０００６】
本発明の一局面に係る画像読取装置は、原稿台と、副走査方向に往復移動可能なキャリッジを有し、当該キャリッジ上に設けられて、前記原稿台に載置された原稿に照射した読取光の反射光を受光して当該原稿の画像を読み取る読取部と、本画像読取装置による通常動作モードでの通常動作時における前記キャリッジの待機位置であるホームポジションに前記キャリッジが位置するか否かを検出し、前記キャリッジが当該ホームポジションに位置しているときに、前記キャリッジを検出したことを示す検出信号を出力し、前記キャリッジが当該ホームポジションに位置していないときに、前記キャリッジを検出していないことを示す不検出信号を出力するキャリッジ検出部と、前記キャリッジの移動動作を制御する制御部と、を備え、前記制御部は、本画像読取装置を電源オフモードに移行させるときには、前記キャリッジを、前記ホームポジションと、前記原稿台に載置された前記原稿についての原稿サイズの読取位置との間に設定された電源オフモード移行時の待機位置に移動させ、本画像読取装置をスリープモードに移行させるときには、前記キャリッジを、前記ホームポジションと、前記電源オフモード移行時の待機位置との間に設定された、当該電源オフモード移行時の待機位置よりも前記ホームポジションに近いスリープモード移行時の待機位置に移動させ、前記制御部は、前記スリープモード及び前記電源オフモードから前記通常動作モードへの復帰時に前記制御部が前記キャリッジを前記ホームポジションに移動させるとき、前記制御部が前記キャリッジを前記待機位置から移動を開始させた時点から、前記キャリッジ検出部が前記キャリッジを検出して前記検出信号を出力するまでの移動距離を計測し、前記制御部は、前記スリープモード移行時の待機位置から前記ホームポジションまでの移動に要する予め定められた第１移動距離と、前記電源オフモード移行時の待機位置から前記ホームポジションまでの移動に要する予め定められた第２移動距離とを、記憶領域に予め記憶しており、前記制御部は、前記計測した移動距離が前記第１移動距離に一致すると判定した場合には、前記通常動作モードへの復帰が前記スリープモードからの復帰であると判定し、前記スリープモードから復帰時のイニシャライズ処理を実行し、前記計測した移動距離が前記第２移動距離に一致すると判定した場合には、前記通常動作モードへの復帰が前記電源オフモードからの復帰であると判定し、前記電源オフモードから復帰時のイニシャライズ処理を実行し、前記制御部は、前記計測した移動距離が前記第１移動距離及び前記第２移動距離のいずれにも該当しないと判定した場合には、前記電源オフモードから復帰時のイニシャライズ処理を実行するものである。
【０００７】
また、本発明の別の一局面に係る画像形成装置は、上記画像読取装置と、前記読取部で読み取った画像を記録紙上に画像形成する画像形成部と、を備える。
【発明の効果】
【０００８】
本発明によれば、特別な機構を追加することなく、通常動作モードへの復帰時に、スリープモード又は電源オフモードのいずれから復帰したかを判別可能であり、当該復帰時に行うイニシャライズ処理に要する時間を短縮することができる。
【図面の簡単な説明】
【０００９】
【図１】本発明の一実施形態に係る複合機の機能ブロック図である。
【図２】本発明の一実施形態に係る複合機の外観図である。
【図３】操作表示部を示す平面図である。
【図４】（Ａ）（Ｂ）は、原稿読取部の機械構成を示す図である。
【図５】原稿読取部内部の機械構成を示す模式図である。
【図６】複合機の機械構成を示す模式図である。
【図７】複合機によるスリープモード及び電源オフモードへの移行時の処理を示すフローチャートである。
【図８】（Ａ）はキャリッジの移動方向である副走査方向におけるスリープモード及び電源オフモードの各待機位置を示す図、（Ｂ）はスリープモード時にキャリッジが待機位置に移動状態した状態を示す図、（Ｃ）は電源オフモード時にキャリッジが待機位置に移動状態した状態を示す図である。
【図９】（Ａ−１）（Ａ−２）（Ｂ−１）（Ｂ−２）は、キャリッジ検出部とキャリッジの位置関係を示す図である。
【図１０】（Ａ−１）（Ａ−２）（Ｂ−１）（Ｂ−２）は、キャリッジ検出部とキャリッジの位置関係を示す図である。
【図１１】複合機によるスリープモード及び電源オフモードから通常動作モードへの復帰時の処理を示すフローチャートである。
【発明を実施するための形態】
【００１０】
以下、本実施形態に係る画像読取装置及び画像形成装置を図面を参照して説明する。図１は本発明の一実施形態に係る複合機の機能ブロック図である。図２は本発明の一実施形態に係る複合機の外観図である。図３は操作表示部を示す平面図である。図４（Ａ）（Ｂ）は、原稿読取部の機械構成を示す図である。図５は原稿読取部内部の機械構成を示す模式図である。図６は複合機１の機械構成を示す模式図である。
【００１１】
本実施形態に係る複合機（画像形成装置）１は、電子写真方式で記録紙に画像を形成する画像形成装置である。複合機１は、原稿読取部２、画像形成部４、操作表示部５、制御部６、通信部７及び画像データ記憶部８を備える。複合機１は、制御部６による制御の下、コピー動作、スキャン動作、ファクス動作、及びプリンター動作等の通常動作を行う通常動作モードと、外部から一定時間指示を受け付けなかった場合に必要最低限の構成要素にのみ電力を供給するスリープモードと、複合機１の電源をオフにする電源オフモードの各モードに、複合機１を移行する。
【００１２】
操作表示部５は、操作表示制御部５１と、ハードウェアキーである操作キー５２と、ソフトウェアキーや各種画像を表示するＬＣＤ（liquid crystal display）を備えてタッチパネル機能を有する表示部５３を備えている。操作表示制御部５１は、制御部６による制御の下で、上記操作キー５２及び表示部５３を制御する制御装置である。
【００１３】
操作キー５２は、図３に示すように、ハードウェアキーとして操作表示部５に物理的に備えられている。操作キー５２として、例えば、電源キー５２Ａ、スタートキー５２Ｂ、ストップ／クリアキー及びテンキー（数値入力キー）等が備えられている。電源キー５２Ａは、複合機１の電源のオンオフを切り換える切換指示を操作者から受け付けるためのキーである。電源キー５２Ａは、当該切換指示を、複合機１がスリープモードになっている場合に複合機１を電源オフモードから通常動作モードに復帰させる指示として受け付ける。上記スタートキー５２Ｂは、コピー等の各種動作の実行指示を受け付けるための操作キーである。制御部６は、操作キー５２から指示の入力を受け付けたときと、複合機１に接続されている外部機器から通信部７を介して指示を受け付けたとき等に、複合機１がスリープモードであれば、当該スリープモードから通常動作モードに復帰させる。また、制御部６は、電源キー５２Ａから複合機１の電源をオンにする上記切換指示を受け付けたときに、複合機１を電源オフモードから通常動作モードに復帰させる。
【００１４】
原稿読取部２は、図１、図２及び図４（Ａ）に示すように自動原稿送り装置（以下、ＡＤＦ（Automatic document feeder）という）２０及び読取部３０から構成されている。原稿読取部２は、ＡＤＦ２０により搬送される原稿ＭＳまたは読取部３０上に載置された原稿ＭＳを、制御部６から入力される制御信号に基づき読み取る。当該読み取りにより得られた原稿画像データは、画像データ記憶部８に記憶される。
【００１５】
ＡＤＦ２０は、読取部３０の上面にヒンジ等によって開閉可能に設けられ、原稿給紙トレイ２２に載置された複数枚の原稿ＭＳを１枚ずつ繰り出して、原稿画像の読取位置に搬送する。また、ＡＤＦ２０は、読取部３０上に載置された原稿ＭＳを読み取る場合に原稿押さえカバーとして機能する。ＡＤＦ２０は、図４（Ａ）に示すようにプラテンカバー２１、原稿給紙トレイ２２、原稿セット検出部２３、ピックアップローラー２４、搬送ローラー２５、レジストローラー２６、排紙ローラー２７、原稿排出トレイ２８及びＡＤＦ開閉検出部２９を備える。
【００１６】
原稿セット検出部２３は、原稿給紙トレイ２２にセットされた原稿ＭＳの先端を検出し、その検出結果を示す検出信号を制御部６に出力する。
【００１７】
レジストローラー２６と排紙ローラー２７との間には、図４（Ａ）に示すように読取用開口部ＯＰが形成されている。読取用開口部ＯＰは、帯状の開口であって、ＡＤＦ２０の底部、つまり読取部３０の流し読みの位置の対向部に副走査方向（原稿搬送方向）に所定幅で設けられている。ＡＤＦ２０によって搬送される原稿ＭＳの表面は、当該読取用開口部ＯＰにおいて読取部３０に向けて露出する。
【００１８】
原稿排出トレイ２８は、排紙ローラー２７から供給された原稿ＭＳを収容する収容部である。ＡＤＦ開閉検出部２９は、ＡＤＦ２０が原稿押さえカバーとして開状態であるか閉状態であるかを検出し、検出信号を制御部６に出力する。
【００１９】
読取部３０は、図４（Ａ）、図４（Ｂ）及び図５に示すように、第１のプラテンガラス３１（原稿台）、第２のプラテンガラス３２（原稿台）、白色基準板３３、キャリッジ３４、集光レンズ３６、ＣＣＤ（Charge Coupled Device）センサー３７、キャリッジ検出部３８を備えている。読取部３０は、ＡＤＦ２０により搬送された原稿ＭＳ、または操作者により第２のプラテンガラス３２上に載置された原稿ＭＳを読み取る。
【００２０】
白色基準板３３は、第１のプラテンガラス３１と第２のプラテンガラス３２との間に設けられた白色板である。白色基準板３３は、シェーディング補正時に読み取られ、読み取られた画像データが白色基準データとしてシェーディング補正に用いられる。
【００２１】
キャリッジ３４は、主走査方向に延びる形状を有する。キャリッジ３４は、光源であるＬＥＤ（Light Emitting Diode）３４Ａと、原稿ＭＳにより反射された読取光をＣＣＤセンサーに向けて反射する複数のミラーとを備えている。また、キャリッジ３４は、副走査方向に延びるレールに沿って、当該副走査方向に往復移動可能に設けられている。キャリッジ３４には、図４（Ｂ）に示すように、主走査方向の一方（奥側）の端に遮光板３４Ｂが設けられている。遮光板３４Ｂは、後述するキャリッジ検出部３８（ＰＩ（Photo Interrupter）センサー）によってキャリッジ３４の位置を検出するための部材である。キャリッジ検出部３８には、上下方向に異なる位置に互いに向き合うようにして発光部３８Ａと受光部３８Ｂが設けられている。遮光板３４Ｂは、当該発光部３８Ａと受光部３８Ｂとの間を、キャリッジ３４の移動に伴って通過する。
【００２２】
キャリッジ３４は、副走査方向において様々な位置に移動する。例えば、キャリッジ３４は、スリープモードに移行する際、図５に示すキャリッジ３４のホームポジションＨＰに移動する。
【００２３】
また、キャリッジ３４は、第２のプラテンガラス３２上に載置された原稿ＭＳを読み取る場合には、原稿ＭＳの主走査方向のサイズを読み取るために、図５に示す原稿サイズ読取位置ＳＰに移動する。原稿サイズ読取位置ＳＰは、ホームポジションＨＰよりもキャリッジ３４の副走査方向における図５では右方向（往動方向）に位置する。
【００２４】
原稿サイズ読取後、キャリッジ３４は、一度ホームポジションＨＰに戻った後に、原稿ＭＳを読み取るため、第２のプラテンガラス３２の下方において副走査方向（図５では右方向となる方向）に移動しつつ原稿ＭＳに向けて読取光を照射する。この結果、原稿ＭＳから順次得られる読取光は、キャリッジ３４の複数のミラーに反射され、集光レンズ３６に入射する。
【００２５】
集光レンズ３６は、上記ミラーから入射する読取光を集光してＣＣＤセンサー３７の受光面に結像させる。ＣＣＤセンサー３７は、受光した読取光を電気信号に光電変換する。
【００２６】
画像形成部４は、給紙カセットから取り出した記録紙Ｐに画像データに基づくトナー画像を画像形成する。
【００２７】
通信部７は、電話回線を介して外部の複合機１あるいはファクシミリ装置、またＬＡＮ（Local Area Network）を介してクライアントコンピューター等と通信を行う。
【００２８】
制御部６は、更に、後述する各待機位置からホームポジションＨＰまでのキャリッジ３４の移動距離を計測する。制御部６は、キャリッジ３４の移動動作の駆動源として読取部３０に備えられているステッピングモーターに制御部６が出力するパルスのパルス数を、上記移動距離として計測する。なお、制御部６は、時間計測が可能な例えばタイマーを備え、当該タイマーにより計測したキャリッジ３４の移動時間を当該移動距離としてもよい。
【００２９】
制御部６は、ＣＰＵ（Central Processing Unit）、ＲＯＭ（Read Only Memory）、ＲＡＭ（Random Access Memory）及びインターフェイス回路等から構成されている。この制御部６は、上記ＲＯＭに記憶された各種演算制御プログラムに基づいて各種の演算処理を行うと共に各部と通信を行うことにより複合機１の全体動作を制御する。制御部６は、各種の制御処理の一環として、スリープモードからの復帰時にイニシャライズ処理（初期化処理）を行う。
【００３０】
また、キャリッジ３４は、ＡＤＦ２０から原稿ＭＳが搬送される場合には、図５に示す流し読み位置ＲＰに移動する。つまり、キャリッジ３４は、ＡＤＦ２０により搬送された原稿ＭＳを読み取る場合には、第１のプラテンガラス３１の下方に固定される。
【００３１】
キャリッジ検出部３８は、副走査方向において上記ホームポジションＨＰと原稿サイズ読取位置ＳＰとの間となる、ホームポジションＨＰに対して直近となる位置に配設位置を有する。キャリッジ検出部３８は、キャリッジ３４に設けられた遮光板３４Ｂと、主走査方向において交差して重なり合う位置に設けられている。キャリッジ検出部３８は、発光部３８Ａと受光部３８Ｂとが上下に対向するように設けられたＰＩセンサーである。
【００３２】
キャリッジ検出部３８は、キャリッジ３４の移動に伴って発光部３８Ａと受光部３８Ｂとの間を通過する、キャリッジ３４の遮光板３４Ｂを検出し、検出結果を示す信号を制御部６に出力する。例えば、キャリッジ検出部３８は、遮光板３４Ｂが発光部３８Ａと受光部３８Ｂとの間に位置している場合には、キャリッジ３４がホームポジションＨＰにあることを示す検出信号を出力し、一方、遮光板３４Ｂが発光部３８Ａと受光部３８Ｂとの間から外れて位置している場合には、キャリッジ３４がホームポジションＨＰにはないことを示す不検出信号を出力する。すなわち、キャリッジ検出部３８は、キャリッジ３４がキャリッジ検出部３８の配設位置に位置する場合には、キャリッジ３４がホームポジションＨＰに位置することを示す上記検出信号を制御部６に出力する。また、キャリッジ検出部３８は、副走査方向において、キャリッジ３４がキャリッジ検出部３８の配設位置より原稿サイズ読取位置ＳＰ側の位置にあるときと、キャリッジ３４が当該配設位置よりも流し読み位置ＲＰ側の位置にあるときに、上記不検出信号を制御部６に出力する。
【００３３】
なお、本発明の実施形態に係る画像読取装置は、少なくとも、上記原稿台と、読取部３０と、キャリッジ検出部３８と、制御部６とを備えている。
【００３４】
次に、複合機１によるスリープモード及び電源オフモードへの移行時の処理を説明する。図７は、複合機１によるスリープモード及び電源オフモードへの移行時の処理を示すフローチャートである。図８（Ａ）はキャリッジ３４の移動方向である副走査方向におけるスリープモード及び電源オフモードの各待機位置を示す図、（Ｂ）はスリープモード時にキャリッジ３４が待機位置に移動状態した状態を示す図、（Ｃ）は電源オフモード時にキャリッジ３４が待機位置に移動状態した状態を示す図である。図９（Ａ−１）（Ａ−２）（Ｂ−１）（Ｂ−２）と、図１０（Ａ−１）（Ａ−２）（Ｂ−１）（Ｂ−２）は、キャリッジ検出部３８とキャリッジ３４の位置関係を示す図である。
【００３５】
制御部６は、複合機１をスリープモード及び電源オフモードに移行させるときには、キャリッジ３４を、各モードに対応して設定されたそれぞれの待機位置に移動させてから、複合機１をスリープモード又は電源オフモードに移行させる。そして、当該各モードに対応して設定されたそれぞれの待機位置は、図８（Ａ）に例を示すように、副走査方向において異なる位置に設定されている。
【００３６】
図８（Ａ）に示すように、スリープモード移行時の待機位置ＷＰ１と、電源オフモード移行時の待機位置ＷＰ２は、副走査方向において上記原稿サイズ読取位置ＳＰとホームポジションＨＰとの間の位置に設定されている。さらに、前記スリープモード移行時の待機位置ＷＰ１は、電源オフモード移行時の待機位置ＷＰ２よりも、ホームポジションＨＰに近い位置に設定されている。
【００３７】
ここで、複合機１が、上記通常動作モードに設定されているものとする。この場合、制御部６は、キャリッジ３４を、動作待機時にはホームポジションＨＰに移動させておく。
【００３８】
図９（Ａ−１）（Ａ−２）に、キャリッジ３４がホームポジションＨＰに位置している場合のキャリッジ検出部３８とキャリッジ３４の位置関係を示す。この状態は、キャリッジ検出部３８が流し読み位置ＲＰ方向に向かうキャリッジ３４の遮光板３４Ｂの副走査方向先端部を検出して上記検出信号を出力開始する位置（図９（Ｂ−１）（Ｂ−２）に示す）から、ステッピングモーター（キャリッジ３４を移動させる駆動源として読取部３０に備えられている）に対して制御部６が駆動制御信号として出力するパルスのパルス数が予め定められた第１の値となった位置まで、キャリッジ３４が移動した状態である。
【００３９】
例えば、第２のプラテンガラス３２に載置された原稿ＭＳの読取時には、制御部６は、キャリッジ３４を当該ホームポジションＨＰから第２のプラテンガラス３２の下方に移動させ、第２のプラテンガラス３２の下方位置を副走査方向に移動させながら、原稿読取部２に原稿ＭＳを読み取らせる。
【００４０】
このように動作しているときに、制御部６が、操作表示部５及び接続された外部機器から一定時間指示を受け付けていないというスリープモード移行条件を満たしたと判断した場合は（Ｓ１でＹＥＳ）、キャリッジ３４を、図８（Ｂ）に例を示すように、上記ホームポジションＨＰから、上記スリープモード移行時の待機位置ＷＰ１に移動させる（Ｓ２）。制御部６は、キャリッジ３４が当該待機位置ＷＰ１に移動した後に、複合機１の状態をスリープモードに移行させる（Ｓ３）。
【００４１】
例えば、制御部６は、上記ホームポジションＨＰから原稿サイズ読取位置ＳＰ方向に向けてキャリッジ３４を移動させ、キャリッジ検出部３８が上記不検出信号を出力開始する位置にキャリッジ３４が移動した時点（図９（Ｂ−１）（Ｂ−２）に示す）からの上記パルス数が予め定められた第２の値となる位置まで、キャリッジ３４が移動した位置を待機位置ＷＰ１として、キャリッジ３４の移動を停止させる。キャリッジ３４が待機位置ＷＰ１まで移動した状態を図１０（Ａ−１）（Ａ−２）に示す。なお、図９（Ｂ−１）（Ｂ−２）は、キャリッジ３４がホームポジションＨＰから原稿サイズ読取位置ＳＰ方向に向かって移動している場合には、キャリッジ検出部３８が上記不検出信号を出力開始する位置を示すことになる。
【００４２】
一方、制御部６は、上記スリープモード移行条件を満たしていないが（Ｓ１でＮＯ）、電源キー５２Ａから複合機１の電源をオフにする切換指示を受け付けたと判断したときは（Ｓ４でＹＥＳ）、図８（Ｃ）に例を示すように、キャリッジ３４を、ホームポジションＨＰから、上記電源オフモード移行時の待機位置ＷＰ２に移動させる（Ｓ５）。制御部６は、キャリッジ３４が当該待機位置ＷＰ２に移動した後に、複合機１の状態を電源オフモードに移行させる（Ｓ６）。なお、Ｓ１でＹＥＳ又はＳ４でＹＥＳになるまでは、Ｓ１及びＳ４の処理を繰り返す（Ｓ１でＮＯ，Ｓ４でＮＯ）。なお、制御部６は、スリープモード移行時から予め定められた期間が経過した場合に、電源オフモードに移行させるものとしてもよい。
【００４３】
例えば、制御部６は、上記ホームポジションＨＰから原稿サイズ読取位置ＳＰ方向に向けてキャリッジ３４を移動させ、キャリッジ検出部３８が上記不検出信号を出力開始する位置にキャリッジ３４が移動した時点（図９（Ｂ−１）（Ｂ−２）に示す）からの上記パルス数が予め定められた第３の値（第３の値＞第２の値）となる位置まで、キャリッジ３４が移動した位置を待機位置ＷＰ２として、キャリッジ３４の移動を停止させる。キャリッジ３４が待機位置ＷＰ２まで移動した状態を図１０（Ｂ−１）（Ｂ−２）に示す。
【００４４】
次に、複合機１によるスリープモード及び電源オフモードから通常動作モードへの復帰時の処理を説明する。図１１は、複合機１によるスリープモード及び電源オフモードから通常動作モードへの復帰時の処理を示すフローチャートである。
【００４５】
複合機１の状態がスリープモード又は電源オフモードであるとき、制御部６は、電源キー５２Ａの操作による電源をオンにする切換指示、又は、スタートキー５２Ｂの操作による動作実行指示、例えば、コピー動作の実行指示を、復帰指示として受け付けたか否かを判定している（Ｓ１１）。制御部６は、当該復帰指示を受け付けていない場合（Ｓ１１でＮＯ）、当該判定処理を続ける。
【００４６】
一方、制御部６は、上記復帰指示を受け付けた場合（Ｓ１１でＹＥＳ）、キャリッジ検出部３８から、キャリッジ３４を検出していることを示す検出信号が入力されているかを判断する（Ｓ１２）。ここで、制御部６が、キャリッジ検出部３８から、キャリッジ３４を検出していないことを示す不検出信号が入力されていると判断した場合（Ｓ１２でＮＯ）、キャリッジ３４を、この時点での待機位置から、ホームポジションＨＰまで移動させる（Ｓ１３）。
【００４７】
例えば、制御部６は、キャリッジ検出部３８が流し読み位置ＲＰ方向に向かうキャリッジ３４の遮光板３４Ｂの副走査方向先端部を検出して上記検出信号を出力開始する位置（図９（Ｂ−１）（Ｂ−２）に示す）から、上記パルス数が上記第１の値となるホームポジションＨＰまで、キャリッジ３４を移動させる。
【００４８】
このとき、制御部６は、キャリッジ３４が当該待機位置からホームポジションＨＰまで移動するまでに上記ステッピングモーターに出力したパルスのバルス数を、キャリッジ３４の移動距離として計測する（Ｓ１４）。
【００４９】
制御部６は、スリープモード移行時の待機位置ＷＰ１からホームポジションＨＰまでの移動に要する予め定められた移動距離（パルス数）Ｔ１と、電源オフモード移行時の待機位置ＷＰ２からホームポジションＨＰまでの移動に要する予め定められた移動距離（パルス数）Ｔ２とを、内蔵する記憶領域等に記憶している。制御部６は、Ｓ１４で計測した移動距離ＭＴが、移動距離Ｔ１又は移動距離Ｔ２のいずれに一致するかを判定する（Ｓ１５）。ここで、「移動距離Ｔ１又は移動距離Ｔ２に一致する」とは、移動距離Ｔ１又は移動距離Ｔ２から予め定められた一定範囲内の時間である場合を含む。
【００５０】
制御部６は、Ｓ１４で計測した移動距離ＭＴが、移動距離Ｔ１に一致すると判定した場合は（Ｓ１５でＹＥＳ）、それまでのモードがスリープモードであったと判定し、スリープモードからの復帰時に必要なイニシャライズ処理を実行する（Ｓ１６）。
【００５１】
一方、制御部６は、Ｓ１４で計測した移動距離ＭＴが、移動距離Ｔ２に一致すると判定した場合は（Ｓ１５でＮＯ）、それまでのモードが電源オフモードであったと判定し、電源オフモードからの復帰時に必要なイニシャライズ処理を実行する（Ｓ１７）。
【００５２】
なお、制御部６は、移動距離ＭＴが、移動距離Ｔ１及びＴ２のいずれにも該当しないと判断した場合も（Ｓ１５でＮＯ）、電源オフモードからの復帰時に必要なイニシャライズ処理を実行する（Ｓ１７）。
【００５３】
上記Ｓ１６におけるスリープモードからの復帰時に必要なイニシャライズ処理の実行、又は、Ｓ１７における電源オフモードからの復帰時に必要なイニシャライズ処理の実行の後、Ｓ１１において、動作実行指示がされている場合は、制御部６は、動作指示の示す動作、例えば上記コピー動作を、複合機１に実行させる。
【００５４】
一方、Ｓ１２において、制御部６は、キャリッジ検出部３８から当該検出信号が入力されていると判断した場合は（Ｓ１２でＹＥＳ）、キャリッジ３４は、上記各モードのいずれの待機位置にも位置していないと想定されるため、キャリッジ３４を副走査方向の右方向（原稿サイズ読取位置ＳＰ側の方向）に移動を開始させる（Ｓ２１）。続いて、制御部６は、キャリッジ検出部３８がキャリッジ３４を検出していないことを示す不検出信号を出力しているかを判定する（Ｓ２２）。
【００５５】
制御部６は、キャリッジ検出部３８から上記不検出信号が入力されるまでキャリッジ３４を副走査方向の右方向に継続して移動させ（Ｓ２２でＮＯ）、キャリッジ検出部３８から上記不検出信号が入力されたときに（Ｓ２２でＹＥＳ）、今度はキャリッジ３４を副走査方向の左方向（ホームポジションＨＰ側の方向）に向けて移動を開始させる（Ｓ２３）。
【００５６】
そして、制御部６は、キャリッジ検出部３８から上記検出信号が再び入力されてきたと判定したとき（Ｓ２４でＹＥＳ）、上記パルス数が上記第１の値となるホームポジションＨＰまでキャリッジ３４を移動させ、この位置をホームポジションＨＰとし、当該位置でキャリッジ３４を停止させる（Ｓ２５）。この後、処理は、例えばＳ１７に移り、電源オフモードからの復帰時に必要なイニシャライズ処理を実行するようにする。
【００５７】
このように、本実施形態では、複合機１がスリープモード又は電源オフモードのいずれから復帰したかを、スリープモード及び電源オフモードへの移行時にキャリッジ３４を待機させておく位置を異ならせ、当該モード別の各待機位置からホームポジションＨＰまでのキャリッジ３４の移動距離の如何に応じて、通常動作モードへの復帰前のモードを判定可能としているため、特別な機構を追加することなく、通常動作モードへの復帰時に、スリープモード又は電源オフモードのいずれから復帰したかを判別可能とし、当該復帰時に行うイニシャライズ処理に要する時間を短縮することができる。
【００５８】
また、本実施形態では、複合機１がスリープモード又は電源オフモードのいずれから復帰したかを、（１）復帰前のモードを示す情報を他の装置との通信により取得する、或いは、（２）スリープモード又は電源オフモードへの移行時に当該モードを復帰前のモードとしてメモリーに記憶しておく、等によらずに判別するので、通信による情報取得に時間を要したり、スリープモード等への移行後に装置の電源が落とされた場合に上記メモリーに記憶されていた情報が消去されて上記判別が不可能になる、といった不具合が生じない。
【００５９】
なお、本発明は上記実施の形態の構成に限られず種々の変形が可能である。例えば、上記実施形態では、本発明に係る画像形成装置の一実施形態として複合機を用いて説明しているが、これは一例に過ぎず、例えば、プリンター、コピー機等の他の画像形成装置でも構わない。
【００６０】
また、上記実施形態において、図１乃至図１１を用いて上記実施形態により示した構成及び処理は、本発明の一実施形態に過ぎず、本発明を当該構成及び処理に限定する趣旨ではない。
【符号の説明】
【００６１】
１      複合機
２      原稿読取部
４      画像形成部
５      操作表示部
６      制御部
３４    キャリッジ
３４Ｂ  遮光板
３８    キャリッジ検出部
３８Ａ  発光部
３８Ｂ  受光部
【図１】
0006459915.tif 000002
【図２】
0006459915.tif 000003
【図３】
0006459915.tif 000004
【図４】
0006459915.tif 000005
【図５】
0006459915.tif 000006
【図６】
0006459915.tif 000007
【図７】
0006459915.tif 000008
【図８】
0006459915.tif 000009
【図９】
0006459915.tif 000010
【図１０】
0006459915.tif 000011
【図１１】
0006459915.tif 000012